(57)【要約】      （修正有）【課題】ホルダー棒の先端に取り付けたカードホルダーの向きを、がたつきなく円滑に変えることができる商品陳列フック用カードホルダーを提供する。【解決手段】ホルダー棒の先端部を挟持する上下挟持部８は、ホルダー棒の先端部を上下から挟持する上支持部６と下支持部７とからなる。上支持部６は、ホルダー本体５の背面に凸部１２を設け、凸部の下側に板状の平板部１１を突設して形成される。凸部及び平板部にはホルダー棒の先端部を挿入する挿入孔１２が設けられ、平板部１１の下面に先端部を上から押える押え面が設けられる。下支持部７には、１対の下支持片２１，２２が、上支持部の下側に挟持空間９をあけて、且つ左右に分かれて、弾性変形可能に突設される。１対の下支持片２１，２２間には、中間開口部と、中間開口部より幅が狭く且つホルダー棒の直径より僅かに幅の狭い狭開口部２４が設けられる。【選択図】図７
2016063873.tif 000002
【特許請求の範囲】
【請求項１】
陳列棚の横棒等に対し前方に突出して装着されて商品を吊り下げるフック棒の上方にホルダー棒が設けられ、該ホルダー棒の先端部にカードホルダーが取り付けられる商品陳列フック用カードホルダーにおいて、
該カードホルダーは、カードを差し入れ・取り出し可能に収容するホルダー本体と、該ホルダー本体の背面に突設され、ホルダー棒の先端部を挟持する上下挟持部と、を備え、
該上下挟持部は、該ホルダー棒の先端部を上下から挟持する上支持部と下支持部とからなり、
該上支持部は、該ホルダー本体の背面に凸部を設けるとともに該凸部の下側に板状の平板部を突設して形成され、該凸部及び該平板部には該ホルダー棒の先端部を挿入する挿入孔が設けられ、且つ該平板部の下面に該先端部を上から押さえる押え面が設けられ、
該下支持部には、１対の下支持片が、該上支持部の下側に挟持空間をあけて、且つ左右に分かれて、弾性変形可能に突設され、該１対の下支持片間には、中間開口部と、該中間開口部より幅が狭く且つ該ホルダー棒の直径より僅かに幅の狭い狭開口部が設けられ、
該１対の下支持片の上面に、該ホルダー棒の先端部を下側から押える押え面が設けられ、且つ該先端部の軸に対し所定角度だけ傾斜した斜凹溝が該両側の下支持片の上面に設けられ、
該ホルダー本体が正面を向いた状態で、該ホルダー棒の先端部は、該上支持部の平板部と該下支持部の該１対の下支持片との間で且つ該狭開口部の内側で挟持され、該ホルダー本体を斜め前方に向けて傾斜させたとき、該ホルダー棒の先端部は、該斜凹溝と該上支持部の平板部との間で挟持されることを特徴とする商品陳列フック用カードホルダー。
【請求項２】
正面を向く前記ホルダー本体を保持するために、前記上支持部の平板部の下面中央に、該ホルダー棒の先端部を上から押える円柱周面溝が設けられたことを特徴とする請求項１記載の商品陳列フック用カードホルダー。
【請求項３】
前記ホルダー本体と平行位置で該ホルダー棒の先端部を保持するために、前記下支持部の上面の奥部に、奥凹部が設けられたことを特徴とする請求項１または２記載の商品陳列フック用カードホルダー。
【発明の詳細な説明】
【技術分野】
【０００１】
本発明は、陳列棚の横棒等に対し前方に突出して装着される棒状の商品陳列フック用のカードホルダーに関し、特に、商品陳列フックのホルダー棒の先端部に、回動可能に嵌着される商品陳列フック用カードホルダーに関する。
【背景技術】
【０００２】
従来、陳列棚の横棒等に対し前方に突出して装着される棒状の商品陳列フックが陳列棚などで使用されている。この商品陳列フックは、側面視で、横向きＵ字形に曲折された金属棒の元部に、金属板をコ字状に曲折した装着部を固定して構成され、その上側の金属棒（ホルダー棒）の先端には、プライスカードなどのカードホルダーが取り付けられる（下記特許文献１を参照）。
【０００３】
下記特許文献１に記載されるカードホルダーは、その背面部に、側方に開口部を有する縦方向の挿入孔を設けた上保持部と、上保持部の下側に突設された平板状の下保持部とが設けられ、下保持部の上面には、溝状のランド部と凸状のストッパ部が放射状に形成される。
【０００４】
カードホルダーを金属棒の先端に取り付ける場合、先端を上方に直角に曲折した金属棒の先端部に対し、カードホルダーの背面部の上保持部を嵌め込み、金属棒の水平部を下保持部の上面に当接させる。この状態で、カードホルダーは、その上保持部の挿入孔に挿入された金属棒の先端部（鉛直状態）を軸に、回動可能に取り付けられ、カードホルダーの回動に応じて、金属棒の水平部が下保持部上面の溝状のランド部とストッパ部に摺接しながら動き、正面から所定の角度に回動可能とされる。
【先行技術文献】
【特許文献】
【０００５】
【特許文献１】特許第４０１２６１６号公報
【発明の概要】
【発明が解決しようとする課題】
【０００６】
しかしながら、この従来の商品陳列フック用のカードホルダーは、金属棒の鉛直状先端部を軸に、回動可能な構造となっているものの、背面部に設けた上保持部が金属棒の先端部を保持し、平板状の下保持部が金属棒の水平部を下から上に保持するように持上荷重を印加するのみであるため、カードホルダーの角度を変える際、製品ごとの寸法誤差などにより、その操作性に不具合が生じる場合があった。すなわち、カードホルダーの角度を変える際、下保持部の持上荷重が過大な状態にある場合、必然的に非常に大きな回動操作力を必要とし、逆に下保持部の持上荷重が小さい場合、カードホルダーにがたつきが生じやすいという課題があった。
【０００７】
本発明は、上記の点に鑑みてなされたもので、ホルダー棒の先端に取り付けたカードホルダーの向きを、がたつきなく円滑に変えることができる商品陳列フック用カードホルダーを提供することを目的とする。
【課題を解決するための手段】
【０００８】
上記目的を達成するために、本発明の商品陳列フック用カードホルダーは、
陳列棚の横棒等に対し前方に突出して装着されて商品を吊り下げるフック棒の上方にホルダー棒が設けられ、該ホルダー棒の先端部にカードホルダーが取り付けられる商品陳列フック用カードホルダーにおいて、
該カードホルダーは、カードを差し入れ・取り出し可能に収容するホルダー本体と、該ホルダー本体の背面に突設され、ホルダー棒の先端部を挟持する上下挟持部と、を備え、
該上下挟持部は、該ホルダー棒の先端部を上下から挟持する上支持部と下支持部とからなり、
該上支持部は、該ホルダー本体の背面に凸部を設けるとともに該凸部の下側に板状の平板部を突設して形成され、該凸部及び該平板部には該ホルダー棒の先端部を挿入する挿入孔が設けられ、且つ該平板部の下面に該先端部を上から押さえる押え面が設けられ、
該下支持部には、１対の下支持片が、該上支持部の下側に挟持空間をあけて、且つ左右に分かれて、弾性変形可能に突設され、該１対の下支持片間には、中間開口部と、該中間開口部より幅が狭く且つ該ホルダー棒の直径より僅かに幅の狭い狭開口部が設けられ、
該１対の下支持片の上面に、該ホルダー棒の先端部を下側から押える押え面が設けられ、且つ該先端部の軸に対し所定角度だけ傾斜した斜凹溝が該両側の下支持片の上面に設けられ、
該ホルダー本体が正面を向いた状態で、該ホルダー棒の先端部は、該上支持部の平板部と該下支持部の該１対の下支持片との間で且つ該狭開口部の内側で挟持され、該ホルダー本体を斜め前方に向けて傾斜させたとき、該ホルダー棒の先端部は、該斜凹溝と該上支持部の平板部との間で挟持されることを特徴とする。
【０００９】
この発明の商品陳列フック用カードホルダーによれば、カードホルダーのホルダー本体の背面に設けた上下挟持部の間に、ホルダー棒の先端部が挟持され、且つ下支持部の１対の下支持片がばね状弾性をもってホルダー棒の先端部を上支持部に押し付けるように保持するため、ホルダー本体が正面を向くとき、がたつきなく安定してカードホルダーを保持することができ、カードホルダーの向き（角度）を変える際、１対の下支持片が弾性力をもってホルダー棒の先端部を下側から良好に保持し、がたつきなく円滑に回動させて、角度を変えることができる。
【００１０】
ここで、上記上支持部の平板部の下面中央に、上記正面を向くホルダー本体を保持するために、該ホルダー棒の先端部を上から押える円柱周面溝を設けることが好ましい。これによれば、正面を向いた状態のホルダー本体を一層安定して保持することができる。
【００１１】
また、上記ホルダー本体と平行位置で該ホルダー棒の先端部を保持するために、上記下支持部の上面の奥部に、奥凹部を設けることが好ましい。これによれば、カードホルダーを該ホルダー棒と平行位置まで回動させたとき、ホルダー棒の先端部を奥凹部に嵌め込み、安定してカードホルダーを保持することができる。
【発明の効果】
【００１２】
本発明の商品陳列フック用カードホルダーによれば、ホルダー棒の先端に取り付けたカードホルダーの向きを、がたつきなく円滑に変えることができる。
【図面の簡単な説明】
【００１３】
【図１】本発明の一実施形態を示す商品陳列フック用カードホルダーの正面図である。
【図２】同カードホルダーの背面図である。
【図３】同カードホルダーの右側面図である。
【図４】同カードホルダーの平面図である。
【図５】同カードホルダーの底面図である。
【図６】同カードホルダーの斜視図である。
【図７】同カードホルダーの背面から見た斜視図である。
【図８】同カードホルダーの背面から見た斜視図である。
【図９】図１のＡ−Ａ断面図である。
【図１０】図２のＢ−Ｂ断面図である。
【図１１】カードホルダーをホルダー棒に取り付ける際の右側面図である。
【図１２】カードホルダーをホルダー棒に対し回動させた状態を示す断面図である。
【図１３】カードホルダーをホルダー棒に対し回動させた状態を示す底面図である。
【図１４】カードホルダーをホルダー棒に対し左右に所定角度回動させた状態を示す平面図である。
【発明を実施するための形態】
【００１４】
以下、本発明の実施の形態を図面に基づいて説明する。図１〜図１０は、商品陳列フックのホルダー棒３に取り付けるカードホルダー１を示し、図１１はカードホルダー１を取り付ける商品陳列フックを示している。
【００１５】
商品陳列フックは、側面視で横向き略Ｕ字形に配置された金属製のフック棒２とホルダー棒３とを備え、その元部に、金属板をコ字状に曲折した装着部４を溶接して形成される。ホルダー棒３の先端には略直角に上方に曲げた形状の曲折先端部３ａが形成され、曲折先端部３ａを含む先端部に、カードホルダー１が、そのホルダー本体５の背面に突設した上下挟持部８を、挟み込むように嵌入して取り付けられる。
【００１６】
カードホルダー１のホルダー本体５は、例えば所定の厚さと矩形形状を持った板状に、合成樹脂材料を用いて一体成形され、前面にはカードを挿入するためのカード挿入部が板状空間として形成され、その前部に図示しない透明のカバー板が嵌着される。
【００１７】
ホルダー本体５の背面には上下挟持部８が突設される。突設した上下挟持部８は、図２〜図８に示すように、ホルダー棒３の先端部を上下から挟持する上支持部６と下支持部７とが、ホルダー本体５の背面に突設されて構成される。上支持部６は、ホルダー本体５の背面に凸部１２を設けるとともに凸部１２の下側に板状の平板部１１を突設して形成される。
【００１８】
凸部１２及び平板部１１にはホルダー棒３の先端部を挿入する挿入孔１３が縦方向に設けられ、且つ平板部１１の下面には、図８，９に示す如く、ホルダー棒３の先端部の水平部分を上から押さえる押え面１４が設けられる。さらに、上支持部６の平板部１１の下面中央には、正面を向くホルダー本体５を保持するために、ホルダー棒３の先端部を上から押える円柱周面溝１６が、ホルダー本体５の背面と直角な中心軸Ｓ（図１０）に沿って直線状に設けられる。円柱周面溝１６は、図２，３に示すように、ホルダー棒３の外周面の一部を溝表面に有するように、押え面１４から僅かに突出する形状に形成され、ホルダー棒３を上から溝表面で押えて確実に保持する構造となっている。
【００１９】
下支持部７には、図９、１０に示すように、１対の下支持片２１，２２が、上支持部６の下側に挟持空間９をあけて、且つ左右に分かれて、弾性変形可能にホルダー本体５の背面に突設される。１対の下支持片２１、２２間には、中間開口部２３と、中間開口部２３より幅が狭く且つホルダー棒３の直径より僅かに幅の狭い狭開口部２４が設けられる。
【００２０】
つまり、図９，１０に示すように、狭開口部２４の幅Ｗ１はホルダー棒３の直径Ｒより僅かに小さく形成され、下支持片２１，２２は、狭開口部２４の両側の縁部で、ホルダー棒３の先端部の水平部分を下から押し付け、上支持部６の下面の円柱周面溝１６との間でホルダー棒３の先端部分を挟持して保持する構造となっている。また、図９に示すように、上支持部６と下支持部７の挟持空間９の縦方向の幅Ｗ２、つまり上支持部６の下面の円柱周面溝１６と下支持部７の押え面２９，３０間の幅Ｗ２は、ホルダー棒３の直径Ｒより僅かに小さく形成される。
【００２１】
これにより、ホルダー棒３の先端部にカードホルダー１を、そのホルダー本体５を真直ぐ正面に向けて取り付けたとき、上下挟持部８の上支持部６と下支持部７間に、ホルダー棒３の先端部の水平部分が弾性力をもって挟持されるようになっている。このために、下支持部７は、特に上下方向にばね状弾性をもって弾性変形可能に、合成樹脂によりホルダー本体５の背面に突設されている。
【００２２】
さらに、下支持部７の１対の下支持片２１，２２の先端近傍における上面には、各々、ホルダー棒３の先端部を下側から押圧可能に、平坦な押え面２９，３０が設けられ、さらに、その押え面２９，３０に隣接して、所定角度だけ傾斜した斜凹溝２５、２６が両側の下支持片２１、２２の上面に設けられる。
【００２３】
すなわち、図１０に示すように、１対の下支持片２１，２２は、ホルダー本体５の背面と直角な中心軸Ｓの両側に平行に突設され、中心軸Ｓに対し例えば３０°だけ右側に傾斜して斜凹溝２５が下支持片２１上に形成され、３０°だけ左側に傾斜して斜凹溝２６が下支持片２２上に形成される。斜凹溝２５，２６は、ホルダー棒３の先端部の水平部分を保持可能な溝状に形成される。そして、図１２に示すように、下支持片２１、２２上の斜凹溝２５，２６の奥に隣接して突部２７，２８が設けられる。
【００２４】
これにより、カードホルダー１が、ホルダー棒３の先端部に、そのホルダー本体５を真直ぐ正面に向けて取り付けた状態から、右または左に３０°だけ、ホルダー棒３の曲折先端部３ａの中心軸を中心に回動させたとき、下支持部７の下支持片２１または下支持片２２が弾性変形して、上下挟持部８の上支持部６と下支持部７間に挟持されたホルダー棒３の先端部の水平部分が、相対的に狭開口部２４から右または左の斜凹溝２５，２６に、弾性力で保持されながら移動し、ホルダー棒３の先端部は、上支持部６の平板部１１の押え面１４と斜凹溝２５または斜凹溝２６間で、弾性力を持って挟持される。
【００２５】
またこのために、図１０に示すように、下支持部７の下支持片２１と下支持片２２の上面には、斜凹溝２５と斜凹溝２６のホルダー本体５側に、各々、突部２７、２８が設けられ、ホルダー棒３の先端部が、上支持部６の平板部１１の押え面１４と斜凹溝２５または斜凹溝２６間で、安定して挟持されるようになっている。
【００２６】
さらに、下支持部７の下支持片２１と下支持片２２の上面の奥部つまり、突部２７と突部２８のホルダー本体５側に、奥凹部３１、３２がホルダー本体５に沿って、ホルダー本体５と平行に設けられる。これにより、図１２に示すように、ホルダー本体５をホルダー棒３と平行な位置まで回動させたとき、ホルダー棒３の先端部が奥凹部３１または奥凹部３２に嵌入されて挟持され、カードホルダー１をホルダー棒３と平行状態とすることができる。
【００２７】
上記構成の商品陳列フック用カードホルダーは、図示しない陳列棚の横棒等に、装着部４を上から嵌着して装着された商品陳列フックのホルダー棒３の先端部に、取り付けられて使用される。
【００２８】
カードホルダー１をホルダー棒３の先端部に取り付ける場合、図１１に示すように、ホルダー棒３の曲折先端部３ａを、上下挟持部８の下支持部７に設けた中間開口部２３から挿入孔１３内に挿入するように、正面向きのカードホルダー１を上方から押し下げて、上下挟持部８をホルダー棒３の先端部に嵌め込む。
【００２９】
このとき、先ず、ホルダー棒３の先端部の水平部分が、下支持部７の１対の下支持片２１，２２間の狭開口部２４を通り、上支持部６と下支持部７間の挟持空間９内に嵌入し、ホルダー棒３の曲折先端部３ａは中間開口部２３から挿入孔１３内に進入する。図９，１０に示す如く、ホルダー棒３の直径Ｒは、狭開口部２４の幅Ｗ１より大きく、且つ挟持空間９の幅（縦幅）Ｗ２より大きく形成されるため、また、下支持部７の下支持片２１，２２はばね状弾性を有して弾性変形可能に形成されるため、上支持部６と下支持部７間の挟持空間９内に嵌入したホルダー棒３の先端部は、上支持部６と下支持部７間の挟持空間９内で弾性力を持って挟持され、がたつきなく確実に保持されることとなる。
【００３０】
またこのとき、ホルダー棒３の先端部の水平部分は、その上面が上支持部６の下面の円柱周面溝１６により上から保持され、先端部水平部分の下面が下支持部７の下支持片２１，２２から押し上げられて保持されるため、カードホルダー１は、正面を向いた位置に、がたつきなく安定して保持される。
【００３１】
一方、カードホルダー１を図１４に示すように右にまたは左に振った場合、ホルダー棒３の先端部の水平部分が、図１２，１３に示す如く、相対的に移動して、狭開口部２４から押え面２９または押え面３０を乗り越え、下支持片２１の斜凹溝２５または斜凹溝２６に嵌入する。これにより、カードホルダー１のホルダー本体５は、図１４に示す如く、正面方向に対し右或いは左に約３０°の角度で向きを変え、向きを振った状態でも、がたつきなく安定して保持されることとなる。
【００３２】
収納時などに、カードホルダー１のホルダー本体５を正面向きから約９０°回動させた場合、図１２に示す如く、ホルダー棒３の先端部の水平部分は、その曲折先端部３ａを軸に回動して、相対的に、奥凹部３１または奥凹部３２に嵌入し、カードホルダー１のホルダー本体５は、正面向きから約９０°回動させた状態で安定して保持されることとなる。
【００３３】
このように、商品陳列フック用カードホルダーによれば、カードホルダー１のホルダー本体５の背面に設けた上下挟持部８の間に、ホルダー棒３の先端部が挟持され、且つ下支持部７の１対の下支持片２１，２２がばね状弾性をもってホルダー棒３の先端部を上支持部６に押し付けるように保持するため、ホルダー本体５が正面を向くとき、がたつきなく安定してカードホルダー１を保持することができ、カードホルダー１の向き（角度）を変える際、１対の下支持片２１，２２が弾性力をもってホルダー棒３の先端部を下側から良好に保持し、がたつきなく円滑に回動させて、角度を変えることができる。
【００３４】
また、上支持部６の平板部１１の下面中央に、正面を向くホルダー本体５を保持するために、ホルダー棒３の先端部を上から押える円柱周面溝１６を設けているので、正面を向いた状態のホルダー本体５を安定して保持することができる。
【００３５】
また、ホルダー本体５と平行位置でホルダー棒の先端部を保持するために、下支持部７の上面の奥部に、奥凹部３１，３２を設けているので、カードホルダー１をホルダー棒３と平行位置まで９０°回動させたとき、ホルダー棒３の先端部を奥凹部３１または３２に嵌め込み、安定してカードホルダーを保持することができる。
【００３６】
なお、上記実施形態では、カードホルダー１のホルダー本体５を正面向きから左右に３０°の角度だけ振ったとき、保持されるように、斜凹溝２５，２６を形成したが、ホルダー本体５を振ったときの角度は、３０°以外の任意の角度に設定し、その角度に応じて斜凹溝を形成し、カードホルダー１のホルダー本体５を任意の角度で保持することもできる。
【符号の説明】
【００３７】
１      カードホルダー
２      フック棒
３      ホルダー棒
３ａ    曲折先端部
４      装着部
５      ホルダー本体
６      上支持部
７      下支持部
８      上下挟持部
９      挟持空間
１１    平板部
１２    凸部
１３    挿入孔
１４    押え面
１６    円柱周面溝
２１    下支持片
２２    下支持片
２３    中間開口部
２４    狭開口部
２５    斜凹溝
２６    斜凹溝
２７    突部
２８    突部
２９    押え面
３０    押え面
３１    奥凹部
３２    奥凹部
【図１】
2016063873.tif 000003
【図２】
2016063873.tif 000004
【図３】
2016063873.tif 000005
【図４】
2016063873.tif 000006
【図５】
2016063873.tif 000007
【図６】
2016063873.tif 000008
【図７】
2016063873.tif 000009
【図８】
2016063873.tif 000010
【図９】
2016063873.tif 000011
【図１０】
2016063873.tif 000012
【図１１】
2016063873.tif 000013
【図１２】
2016063873.tif 000014
【図１３】
2016063873.tif 000015
【図１４】
2016063873.tif 000016